(57)【特許請求の範囲】
【請求項１】
物体側より順に、正の屈折力を有する第１レンズ群と、負の屈折力を有する第２レンズ群と、正の屈折力を有する第３レンズ群と、正の屈折力を有する第４レンズ群と、負の屈折力を有する第５レンズ群と、正の屈折力を有する第６レンズ群からなり、
広角端から望遠端への変倍時、前記第１レンズ群、前記第３レンズ群及び前記第６レンズ群は固定であり、前記第２レンズ群、前記第４レンズ群及び前記第５レンズ群は移動し、
広角端から望遠端への変倍時にそれぞれ隣り合う各レンズ群の間隔が変化し、
前記第１レンズ群は、光路を折り曲げるための反射光学素子を含み、
前記第２レンズ群は、物体側より順に、負レンズと、負レンズと正レンズからなる接合レンズよりなり、
前記第３レンズ群は、明るさ絞りを有し、前記明るさ絞りより物体側に位置する正レンズ１枚からなり、
前記第４レンズ群は、物体側より順に、正レンズと負レンズよりなり、
前記第５レンズ群は、負レンズよりなり、
以下の条件式（１）、（２）、（３）を満足することを特徴とするズームレンズ。
０.５≦f1/√(fw・ft)≦２.０          ・・・（１）
１.０≦pri/IH≦２.５                 ・・・（２）
１.０≦f3/√(fw・ft)≦４.０          ・・・（３）
但し、
f1は、前記第１レンズ群の焦点距離、
f3は、前記第３レンズ群の焦点距離、
fwは、広角端における前記ズームレンズ全系の焦点距離、
ftは、望遠端における前記ズームレンズ全系の焦点距離、
priは、前記反射光学素子の厚さ、
IHは、像面上での最大像高、
である。
【請求項２】
第４レンズ群の正レンズは両面非球面のレンズであり、
以下の条件式（４）を満足することを特徴とする請求項１に記載のズームレンズ。
０.５≦f4/√(fw・ft)≦２.０          ・・・（４）
但し、
f4は、前記第４レンズ群の焦点距離、
fwは、広角端における前記ズームレンズ全系の焦点距離、
ftは、望遠端における前記ズームレンズ全系の焦点距離、
である。
【請求項３】
以下の条件式（５）を満足することを特徴とする請求項１または請求項２に記載のズームレンズ。
−２.０≦f4_b/√(fw・ft)≦−０.１          ・・・（５）
但し、
f4_bは、前記第４レンズ群の前記負レンズの焦点距離、
fwは、広角端における前記ズームレンズ全系の焦点距離、
ftは、望遠端における前記ズームレンズ全系の焦点距離、
である。
【請求項４】
広角端から望遠端への変倍時、前記第５レンズ群は像側から物体側へと移動し、
フォーカスは前記第５レンズ群のみで行い、
以下の条件式（６）を満足することを特徴とする請求項１から請求項３のいずれか１項に記載のズームレンズ。
−２≦f5/√(fw・ft)≦−０．１          ・・・（６）
但し、
f5は、前記第５レンズ群の焦点距離、
fwは、広角端における前記ズームレンズ全系の焦点距離、
ftは、望遠端における前記ズームレンズ全系の焦点距離、
である。
【請求項５】
以下の条件式（１''’）を満足することを特徴とする請求項１から請求項４のいずれか１項に記載のズームレンズ。
０.５≦f1/√(fw・ft)≦１.２５           ・・・（１''’）
但し、
f1は、前記第１レンズ群の焦点距離、
fwは、広角端における前記ズームレンズ全系の焦点距離、
ftは、望遠端における前記ズームレンズ全系の焦点距離、
である。
【請求項６】
以下の条件式（５''’）を満足することを特徴とする請求項１から請求項５のいずれか１項に記載のズームレンズ。
−０.９１≦f4_b/√（fw・ft）≦−０.１          ・・・（５''’）
但し、
f4_bは、前記第４レンズ群の前記負レンズの焦点距離、
fwは、広角端における前記ズームレンズ全系の焦点距離、
ftは、望遠端における前記ズームレンズ全系の焦点距離、
である。
【請求項７】
請求項１から請求項６のいずれか１項に記載のズームレンズと撮像素子を用いることを特徴とする撮像装置。
【発明の詳細な説明】
【技術分野】
【０００１】
本発明は、ズームレンズ、特に光路折り曲げ型のズームレンズ及びそれを用いた撮像装置に関するものである。
【背景技術】
【０００２】
近年、コンパクトカメラでは、撮像素子の高画素数化と高感度化が進んでいる。その結果、使用される撮像素子のサイズが大きくなっている。撮像素子のサイズの大型化（高画素化）に対応して、コンパクトカメラの光学系にも小型化、薄型化が要求される。このような小型・薄型な光学系として、光学系の光路中にプリズムを配置し、このプリズムで光路を折り曲げることで、薄型化を実現した光学系がある（特許文献１）。
【０００３】
特許文献１には、正の屈折力を有しズーム中固定の第１レンズ群と、負の屈折力を有する第２レンズ群と、正の屈折力を有する第３レンズ群と、正の屈折力を有する第４レンズ群と、負の屈折力を有する第５レンズ群と、第６レンズ群とから構成され、第１レンズ群中に光軸を折り曲げるための反射部材を含むズームレンズが開示されている。
【先行技術文献】
【特許文献】
【０００４】
【特許文献１】特許第４４９６４６０号明細書
【発明の概要】
【発明が解決しようとする課題】
【０００５】
しかしながら、特許文献１の光学系は、プリズムが大きいため、このプリズムを含む第１レンズ群が大型化している。また、レンズ系の全長が長く、周辺での収差、特に非点収差の補正が十分とはいえない。
【０００６】
本発明は、上記に鑑みてなされたものであって、小型でありながら、周辺での収差、特に非点収差が良好に補正されたズームレンズ、特に薄型化に適した光路折り曲げ型のズームレンズ及びそれを用いた撮像装置を提供することを目的とする。
【課題を解決するための手段】
【０００７】
上述した課題を解決し、目的を達成するために、本発明のズームレンズは、物体側より順に、正の屈折力を有する第１レンズ群と、負の屈折力を有する第２レンズ群と、正の屈折力を有する第３レンズ群と、正の屈折力を有する第４レンズ群と、負の屈折力を有する第５レンズ群と、正の屈折力を有する第６レンズ群からなり、
広角端から望遠端への変倍時、第１レンズ群、第３レンズ群及び第６レンズ群は固定であり、第２レンズ群、第４レンズ群及び第５レンズ群は移動し、
広角端から望遠端への変倍時にそれぞれ隣り合う各レンズ群の間隔が変化し、
第１レンズ群は、光路を折り曲げるための反射光学素子を含み、
第２レンズ群は、物体側より順に、負レンズと、負レンズと正レンズからなる接合レンズよりなり、
第３レンズ群は、明るさ絞りを有し、明るさ絞りより物体側に位置する正レンズ１枚からなり、
第４レンズ群は、物体側より順に、正レンズと負レンズよりなり、
第５レンズ群は、負レンズよりなり、
以下の条件式（１）、（２）、（３）を満足することを特徴とする。
０.５≦f1/√(fw・ft)≦２.０          ・・・（１）
１.０≦pri/IH≦２.５                 ・・・（２）
１.０≦f3/√(fw・ft)≦４.０          ・・・（３）
但し、 
f1は、第１レンズ群の焦点距離、
f3は、第３レンズ群の焦点距離、
fwは、広角端におけるズームレンズ全系の焦点距離、
ftは、望遠端におけるズームレンズ全系の焦点距離、
priは、反射光学素子の厚さ、
IHは、像面上での最大像高、
である。
【０００９】
また、本発明の好ましい態様によれば、第４レンズ群の正レンズは両面非球面のレンズであり、
以下の条件式（４）を満足することが望ましい。
０.５≦f4/√(fw・ft)≦２.０          ・・・（４）
但し、
f4は、第４レンズ群の焦点距離、
fwは、広角端におけるズームレンズ全系の焦点距離、
ftは、望遠端におけるズームレンズ全系の焦点距離、
である。
【００１０】
また、本発明の好ましい態様によれば、以下の条件式（５）を満足することが望ましい。
−２．０≦f4_b/√(fw・ft)≦−０．１          ・・・（５）
但し、
f4_bは、第４レンズ群の負レンズの焦点距離、
fwは、広角端におけるズームレンズ全系の焦点距離、
ftは、望遠端におけるズームレンズ全系の焦点距離、
である。
【００１１】
また、本発明の好ましい態様によれば、広角端から望遠端への変倍時、第５レンズ群は像側から物体側へと移動し、
フォーカスは第５レンズ群のみで行い、
以下の条件式（６）を満足することが望ましい。
−２≦f5/√(fw・ft)≦−０．１          ・・・（６）
但し、
f5は、第５レンズ群の焦点距離、
fwは、広角端におけるズームレンズ全系の焦点距離、
ftは、望遠端におけるズームレンズ全系の焦点距離、
である。
また、本発明の好ましい態様によれば、以下の条件式（１''’）を満足することが望ましい。
０.５≦f1/√(fw・ft)≦１.２５           ・・・（１''’）
但し、
f1は、第１レンズ群の焦点距離、
fwは、広角端におけるズームレンズ全系の焦点距離、
ftは、望遠端におけるズームレンズ全系の焦点距離、
である。
また、本発明の好ましい態様によれば、以下の条件式（５''’）を満足することが望ましい。
−０.９１≦f4_b/√（fw・ft）≦−０.１          ・・・（５''’）
但し、
f4_bは、第４レンズ群の負レンズの焦点距離、
fwは、広角端におけるズームレンズ全系の焦点距離、
ftは、望遠端におけるズームレンズ全系の焦点距離、
である。
【００１２】
また、本発明の撮像装置は、上記のズームレンズと撮像素子を用いることを特徴とする。
【発明の効果】
【００１３】
本発明によれば、小型でありながら、周辺での収差、特に非点収差が良好に補正されたズームレンズ、特に薄型化に適した光路折り曲げ型のズームレンズ及びそれを用いた撮像装置を提供することができる。
【図面の簡単な説明】
【００１４】
【図１】本発明の実施例１にかかるズームレンズの無限遠物点合焦時の光学構成を示す光軸に沿う断面図であって、広角端（ａ）、中間焦点距離状態（ｂ）、望遠端（ｃ）のレンズ断面図である。
【図２】実施例１にかかるズームレンズの無限遠物点合焦時における球面収差（ＳＡ）、非点収差（ＡＳ）、歪曲収差（ＤＴ）、倍率色収差（ＣＣ）を示す図であって、（ａ）は広角端、（ｂ）は中間焦点距離状態、（ｃ）は望遠端における収差図である。
【図３】本発明の実施例２にかかるズームレンズの無限遠物点合焦時の光学構成を示す光軸に沿う断面図であって、広角端（ａ）、中間焦点距離状態（ｂ）、望遠端（ｃ）のレンズ断面図である。
【図４】実施例２にかかるズームレンズの無限遠物点合焦時における球面収差（ＳＡ）、非点収差（ＡＳ）、歪曲収差（ＤＴ）、倍率色収差（ＣＣ）を示す図であって、（ａ）は広角端、（ｂ）は中間焦点距離状態、（ｃ）は望遠端における収差図である。
【図５】本発明の実施例３にかかるズームレンズの無限遠物点合焦時の光学構成を示す光軸に沿う断面図であって、広角端（ａ）、中間焦点距離状態（ｂ）、望遠端（ｃ）のレンズ断面図である。
【図６】実施例３にかかるズームレンズの無限遠物点合焦時における球面収差（ＳＡ）、非点収差（ＡＳ）、歪曲収差（ＤＴ）、倍率色収差（ＣＣ）を示す図であって、（ａ）は広角端、（ｂ）は中間焦点距離状態、（ｃ）は望遠端における収差図である。
【図７】本発明の実施例４にかかるズームレンズの無限遠物点合焦時の光学構成を示す光軸に沿う断面図であって、広角端（ａ）、中間焦点距離状態（ｂ）、望遠端（ｃ）のレンズ断面図である。
【図８】実施例４にかかるズームレンズの無限遠物点合焦時における球面収差（ＳＡ）、非点収差（ＡＳ）、歪曲収差（ＤＴ）、倍率色収差（ＣＣ）を示す図であって、（ａ）は広角端、（ｂ）は中間焦点距離状態、（ｃ）は望遠端における収差図である。
【図９】本発明による光学系を組み込んだデジタルカメラ４０の外観を示す前方斜視図である。
【図１０】デジタルカメラ４０の後方斜視図である。
【図１１】デジタルカメラ４０の光学構成を示す断面図である。
【図１２】本発明の光学系が対物光学系として内蔵された情報処理装置の一例であるパソコン３００のカバーを開いた状態の前方斜視図である。
【図１３】パソコン３００の撮影光学系３０３の断面図である。
【図１４】パソコン３００の側面図である。
【図１５】本発明の光学系が撮影光学系として内蔵された情報処理装置の一例である携帯電話を示す図であり、（a）は携帯電話４００の正面図、（b）は側面図、（c）は撮影光学系４０５の断面図である。
【発明を実施するための形態】
【００１５】
実施形態のズームレンズについて説明する。本実施形態のズームレンズは、物体側より順に、正の屈折力を有する第１レンズ群と、負の屈折力を有する第２レンズ群と、正の屈折力を有する第３レンズ群と、正の屈折力を有する第４レンズ群と、負の屈折力を有する第５レンズ群と、正の屈折力を有する第６レンズ群を備え、広角端から望遠端への変倍時、第１レンズ群、第３レンズ群及び第６レンズ群は固定であり、第２レンズ群、第４レンズ群及び第５レンズ群は移動し、第１レンズ群は、光路を折り曲げるための反射光学素子を含み、第２レンズ群は、物体側より順に、負レンズと、負レンズと正レンズからなる接合レンズよりなり、第３レンズ群は、明るさ絞りを有し、第４レンズ群は、物体側より順に、正レンズと負レンズよりなり、第５レンズ群は、負レンズよりなり、以下の条件式（１）、（２）を満足することを特徴とする。
０.５≦f1/√(fw・ft)≦２.０          ・・・（１）
１.０≦pri/IH≦２.５                  ・・・（２）
但し、
f1は、第１レンズ群の焦点距離、
fwは、広角端におけるズームレンズ全系の焦点距離、
ftは、望遠端におけるズームレンズ全系の焦点距離、
priは、反射光学素子の厚さ、
IHは、像面上での最大像高、
である。
【００１６】
本実施形態のズームレンズは、６つのレンズ群を備えている。そのため、必要とする屈折力を、多くのレンズ群に分散させることができる。また、必要な光学性能を保ちながら、各レンズ群のレンズ枚数を削減することができる。その結果、光学系の全長を短縮することができる。
【００１７】
特に、本実施形態のズームレンズでは、第４レンズ群をレンズ２枚で構成すると共に、変倍時に第５レンズ群を移動させている。このようにすることで、スペースをとらずに色収差、像面湾曲を抑えたまま、変倍（ズーム）やフォーカスを行うことができる。
【００１８】
第１レンズ群は正の屈折力を有し、光路を折り曲げるための反射光学素子を備えている。第１レンズ群に正の屈折力を持たせることで、Ｆｎｏの値を小さくすると共に、光学系の全長の短縮を図ることができる。また、第１レンズ群に光路を折り曲げるための反射光学素子、例えばプリズムを用いることで、光学系の薄型が可能となる。
【００１９】
第２レンズ群は、物体側より順に、負レンズと、負レンズと正レンズからなる接合レンズよりなる。このような構成により、少ない移動量で変倍作用を発揮させると共に、倍率色収差・軸上色収差の発生を抑えることができる。なお、正レンズには、高屈折率高分散の硝材を用いることが好ましい。
【００２０】
第４レンズ群は、物体側より順に、正レンズと負レンズよりなる。このような構成により、収差を抑えつつ光学系の全長の短縮ができる。
【００２１】
第５レンズ群は、負レンズよりなる。このような構成により、光学系の小型化・薄型化ができる。特に、非球面レンズを用いることで、フォーカス時の非点収差の発生をより抑えることができる。
【００２２】
そして、本実施形態のズームレンズは、上述の条件式（１）、（２）を満足する。
【００２３】
条件式（１）の上限を上回ると、変倍比に対して、第１レンズ群の屈折力が小さくなり過ぎてしまう。この場合、第１レンズ群を通過する光線の高さ（光線高）が高くなってしまう。そのため、プリズムが大型化し、全長が長くなってしまう。また、Ｆｎｏも大きくなってしまう（暗いレンズ系になってしまう）。一方、条件式（１）の下限を下回ると、変倍比に対して、第１レンズ群の屈折力が大きくなり過ぎてしまう。そのため、倍率色収差や非点収差の発生が著しくなるので、これらの収差の補正が困難になる。
【００２４】
条件式（２）の上限を上回ると、第１レンズ群が大きくなるので、第１レンズ群へ入射する光線の高さが高くなる。そのため、光学系の小型化が困難となってしまう。また、倍率色収差、非点収差の補正が困難になる。一方、条件式（２）の下限を下回ると、広角端での画角が狭くなるほか、望遠端でのＦｎｏが大きくなってしまう（暗い光学系になってしまう）。なお、像面の位置に撮像素子が配置された場合は、IHは撮像素子の撮像面における対角長である。
【００２５】
ここで、条件式（１）に代えて、以下の条件式（１’）を満足するのが好ましい。
０．７≦f1/√fw・ft≦１．６          ・・・(１’)
また、条件式（１）に代えて、以下の条件式（１”）を満足するのがより好ましい。
１．１≦f1/√fw・ft≦１．３          ・・・(１”)
【００２６】
ここで、条件式（２）に代えて、以下の条件式（２’）を満足するのが好ましい。
１．５≦pri/IH≦２．２          ・・・(２’)
また、条件式（２）に代えて、以下の条件式（２”）を満足するのがより好ましい。
１．８≦pri/IH≦２．０          ・・・(２”)
【００２７】
また、本実施形態のズームレンズは、第３レンズ群は明るさ絞りより物体側に位置する正レンズ１枚からなり、以下の条件式（３）を満足することが望ましい。
１.０≦f3/√(fw・ft)≦４.０          ・・・（３）
但し、
f3は、第３レンズ群の焦点距離、
fwは、広角端におけるズームレンズ全系の焦点距離、
ftは、望遠端におけるズームレンズ全系の焦点距離、
である。
【００２８】
明るさ絞りより物体側に正レンズを配置することで、光線高を低く抑えることができる。また、レンズが１枚なので、光軸方向のスペースをとらずにすむ。その結果、明るさ絞りより像側のレンズ群に入射する光線の高さを抑えることができる。その結果、光学系を小型化（薄型化）しつつ、コマ収差の発生を抑制することができる。
【００２９】
条件式（３）の上限を上回ると、第４レンズ群へ入射する光線の高さが高くなる。この場合、第４レンズ群でコマ収差が発生してしまう。一方、条件式（３）の下限を下回ると、第３レンズ群の屈折力が大きくなりすぎてしまう。そのため、第３レンズ群でコマ収差が発生してしまう。
【００３０】
ここで、条件式（３）に代えて、以下の条件式（３’）を満足するのが好ましい。
１．２≦f3/√(fw・ft)≦３．０          ・・・(３’)
また、条件式（３）に代えて、以下の条件式（３”）を満足するのがより好ましい。
１．４≦f3/√(fw・ft)≦２．６          ・・・(３”)
【００３１】
また、本実施形態のズームレンズは、第４レンズ群の正レンズは両面非球面のレンズであり、以下の条件式（４）を満足することが望ましい。
０.５≦f4/√(fw・ft)≦２.０          ・・・（４）
但し、
f4は、第４レンズ群の焦点距離、
fwは、広角端におけるズームレンズ全系の焦点距離、
ftは、望遠端におけるズームレンズ全系の焦点距離、
である。
【００３２】
第４レンズ群は、正レンズと負レンズで構成しているが、正レンズは両面が非球面のレンズにすることが好ましい。このようにすることで、コマ収差を抑えることができる。
【００３３】
条件式（４）の上限を上回ると、第４レンズ群の移動量が増えるので、全長が長くなってしまう。一方、条件式（４）の下限を下回ると、第４レンズ群の屈折力が、大きくなりすぎてしまう。その結果、第４レンズ群内で発生するコマ収差、軸上・倍率色収差の補正が困難になる。
【００３４】
ここで、条件式（４）に代えて、以下の条件式（４’）を満足するのが好ましい。
０．７≦f4/√fw・ft≦１．５          ・・・(４’)
また、条件式（４）に代えて、以下の条件式（４”）を満足するのがより好ましい。
０．８≦f4/√fw・ft≦１．１          ・・・(４”)
【００３５】
なお、第４レンズ群の負のレンズは、メニスカスレンズにすることが好ましい。このようにすることで、ペッツバール和を抑えることができる。
【００３６】
また、本実施形態のズームレンズは、以下の条件式（５）を満足することが望ましい。
−２．０≦f4_b/√(fw・ft)≦−０．１          ・・・（５）
但し、
f4_bは、第４レンズ群の負レンズの焦点距離、
fwは、広角端におけるズームレンズ全系の焦点距離、
ftは、望遠端におけるズームレンズ全系の焦点距離、
である。
【００３７】
第３レンズ群によって、第４レンズ群では光線の高さが低く抑えられている。そこで、第４レンズ群内の像側に配置した負レンズに、適切な屈折力を持たせることが好ましい。条件式（５）を満足することで、コマ収差の発生量を抑えながら、ペッツバール和を補正することができる。
【００３８】
条件式（５）の上限を上回ると、コマ収差の補正が困難になる。一方、条件式（５）の下限を下回ると、ペッツバール和の補正が困難になるため、像面が湾曲してしまう。
【００３９】
ここで、条件式（５）に代えて、以下の条件式（５’）を満足するのが好ましい。
−１．５≦f4_b/√(fw・ft)≦−０．３          ・・・(５’)
また、条件式（５）に代えて、以下の条件式（５”）を満足するのがより好ましい。
−１．１≦f4_b/√(fw・ft)≦−０．５          ・・・(５”)
【００４０】
また、本実施形態のズームレンズは、広角端から望遠端への変倍時、第５レンズ群は像側から物体側へと移動し、フォーカスは第５レンズ群のみで行い、以下の条件式（６）を満足することが望ましい。
−２≦f5/√(fw・ft)≦−０．１          ・・・（６）
但し、
f5は、第５レンズ群の焦点距離、
fwは、広角端におけるズームレンズ全系の焦点距離、
ftは、望遠端におけるズームレンズ全系の焦点距離、
である。
【００４１】
広角端から望遠端への変倍時、第５レンズ群が像面側から物体側へと移動することで、像面変動を抑えながらフォーカスのためのスペースを確保することができる。フォーカスを第５レンズ群で行うことで、至近までの光学性能を確保することができる。
【００４２】
条件式（６）の下限を下回ると、第５レンズ群の移動量が増える。そのため、フォーカス時の移動スペースを確保できない。一方、条件式（６）の上限を上回ると、コマ収差の補正が困難になる。さらに、フォーカス時の像面変動を抑えるのも困難になる。
【００４３】
ここで、条件式（６）に代えて、以下の条件式（６’）を満足するのが好ましい。
−１．８≦f5/√(fw・ft)≦−０．５          ・・・(６’)
また、条件式（６）に代えて、以下の条件式（６”）を満足するのがより好ましい。
−１．６≦f5/√(fw・ft)≦−０．６          ・・・(６”)
【００４４】
また、本実施形態の撮像装置は、上記のズームレンズと撮像素子を用いることが好ましい。これにより、小型でありながら、周辺での収差、特に非点収差が良好に補正されたズームレンズ、特に薄型化に適した光路折り曲げ型のズームレンズを用いた撮像装置を実現できる。
【００４５】
以下に、ズームレンズ及び撮像装置の実施例を図面に基づいて詳細に説明する。なお、この実施例によりこの発明が限定されるものではない。また、屈折力の正負は、近軸曲率半径に基づく。また、各実施例の数値データにおいて、ｒ１、ｄ１とｒ２４、ｄ２３は仮想面およびその位置を示している。図面にもこれらの符号は記載されているが、仮想面は図示されていない。
【００４６】
次に、実施例１にかかるズームレンズについて説明する。図１は実施例１にかかるズームレンズの無限遠物点合焦時の光学構成を示す光軸に沿う断面図であって、広角端（ａ）、中間焦点距離状態（ｂ）、望遠端（ｃ）のレンズ断面図である。
【００４７】
図２は実施例１にかかるズームレンズの無限遠物点合焦時における球面収差（ＳＡ）、非点収差（ＡＳ）、歪曲収差（ＤＴ）、倍率色収差（ＣＣ）を示す図であって、（ａ）は広角端、（ｂ）は中間焦点距離状態、（ｃ）は望遠端における収差図である。また、ＦＩＹは像高を示している。なお、収差図における記号は、後述の実施例においても共通である。
【００４８】
実施例１のズームレンズは、図１に示すように、物体側より順に、正の屈折力の第１レンズ群Ｇ１と、負の屈折力の第２レンズ群Ｇ２と、正の屈折力の第３レンズ群Ｇ３と、正の屈折力の第４レンズ群Ｇ４と、負の屈折力の第５レンズ群Ｇ５と、正の屈折力の第６レンズ群Ｇ６を有している。なお、以下全ての実施例においてレンズ断面中、Ｃはカバーガラス、Ｉは撮像素子の撮像面を示している。また、Ｓは明るさ絞り（開口絞り）であって、第３レンズ群Ｇ３に含まれている。また、光路を折り曲げるための反射光学素子として、プリズムが用いられている。
【００４９】
第１レンズ群Ｇ１は、物体側に凸面を向けた負メニスカスレンズＬ１と、プリズムＬ２と、両凸正レンズＬ３で構成されている。
【００５０】
第２レンズ群Ｇ２は、物体側より順に、両凹負レンズＬ４と、両凹負レンズＬ５と、物体側に凸面を向けた正メニスカスレンズＬ６で構成されている。ここで、両凹負レンズＬ５と物体側に凸面を向けた正メニスカスレンズＬ６は接合され、接合レンズを形成している。
【００５１】
第３レンズ群Ｇ３は、凸平レンズＬ７と明るさ絞りＳで構成されている。凸平レンズＬ７は、開口絞りＳよりも物体側に位置している。
【００５２】
第４レンズ群Ｇ４は、物体側より順に、両凸正レンズＬ８と、物体側に凸面を向けた負メニスカスレンズＬ９で構成されている。
【００５３】
第５レンズ群Ｇ５は、物体側に凸面を向けた負メニスカスレンズＬ１０で構成されている。
【００５４】
第６レンズ群Ｇ６は、両凸正レンズＬ１１で構成されている。
【００５５】
広角端から望遠端にかけての変倍時、第１レンズ群Ｇ１は固定、第２レンズ群Ｇ２は像側に移動し、第３レンズ群Ｇ３は固定、第４レンズ群Ｇ４は物体側に移動し、第５レンズ群Ｇ５は物体側に移動し、第６レンズ群Ｇ６は固定である。
【００５６】
非球面は、第１レンズ群Ｇ１の両凸正レンズＬ３の両側面、第３レンズ群Ｇ３の凸平レンズＬ７の物体側面、第４レンズ群Ｇ４の両凸正レンズＬ８の両側面、第６レンズ群Ｇ６の両凸正レンズＬ１１の両側面の７面に用いられている。
【００５７】
次に、実施例２にかかるズームレンズについて説明する。図３は実施例２にかかるズームレンズの無限遠物点合焦時の光学構成を示す光軸に沿う断面図であって、広角端（ａ）、中間焦点距離状態（ｂ）、望遠端（ｃ）のレンズ断面図である。
【００５８】
図４は実施例２にかかるズームレンズの無限遠物点合焦時における球面収差（ＳＡ）、非点収差（ＡＳ）、歪曲収差（ＤＴ）、倍率色収差（ＣＣ）を示す図であって、（ａ）は広角端、（ｂ）は中間焦点距離状態、（ｃ）は望遠端における収差図である。また、ＦＩＹは像高を示している。
【００５９】
実施例２のズームレンズは、図３に示すように、物体側より順に、正の屈折力の第１レンズ群Ｇ１と、負の屈折力の第２レンズ群Ｇ２と、正の屈折力の第３レンズ群Ｇ３と、正の屈折力の第４レンズ群Ｇ４と、負の屈折力の第５レンズ群Ｇ５と、正の屈折力の第６レンズ群Ｇ６を有している。
【００６０】
第１レンズ群Ｇ１は、物体側に凸面を向けた負メニスカスレンズＬ１と、プリズムＬ２と、両凸正レンズＬ３で構成されている。
【００６１】
第２レンズ群Ｇ２は、物体側より順に、両凹負レンズＬ４と、両凹負レンズＬ５と、物体側に凸面を向けた正メニスカスレンズＬ６で構成されている。ここで、両凹負レンズＬ５と物体側に凸面を向けた正メニスカスレンズＬ６は接合され、接合レンズを形成している。
【００６２】
第３レンズ群Ｇ３は、凸平レンズＬ７と明るさ絞りＳで構成されている。凸平レンズＬ７は、開口絞りＳよりも物体側に位置している。
【００６３】
第４レンズ群Ｇ４は、物体側より順に、両凸正レンズＬ８と、物体側に凸面を向けた負メニスカスレンズＬ９で構成されている。
【００６４】
第５レンズ群Ｇ５は、両凹負レンズＬ１０で構成されている。
【００６５】
第６レンズ群Ｇ６は、両凸正レンズＬ１１で構成されている。
【００６６】
広角端から望遠端にかけての変倍時、第１レンズ群Ｇ１は固定、第２レンズ群Ｇ２は像側に移動し、第３レンズ群Ｇ３は固定、第４レンズ群Ｇ４は物体側に移動し、第５レンズ群Ｇ５は物体側に移動し、第６レンズ群Ｇ６は固定である。
【００６７】
非球面は、第１レンズ群Ｇ１の両凸正レンズＬ３の物体側面、第３レンズ群Ｇ３の凸平レンズＬ７の物体側面、第４レンズ群Ｇ４の両凸正レンズＬ８の両側面、第５レンズ群Ｇ５の両凹負レンズＬ１０の物体側面、第６レンズ群Ｇ６の両凸正レンズＬ１１の像側面の６面に用いている。
【００６８】
次に、実施例３にかかるズームレンズについて説明する。図５は実施例３にかかるズームレンズの無限遠物点合焦時の光学構成を示す光軸に沿う断面図であって、広角端（ａ）、中間焦点距離状態（ｂ）、望遠端（ｃ）のレンズ断面図である。
【００６９】
図６は実施例３にかかるズームレンズの無限遠物点合焦時における球面収差（ＳＡ）、非点収差（ＡＳ）、歪曲収差（ＤＴ）、倍率色収差（ＣＣ）を示す図であって、（ａ）は広角端、（ｂ）は中間焦点距離状態、（ｃ）は望遠端における収差図である。また、ＦＩＹは像高を示している。
【００７０】
実施例３のズームレンズは、図５に示すように、物体側より順に、正の屈折力の第１レンズ群Ｇ１と、負の屈折力の第２レンズ群Ｇ２と、正の屈折力の第３レンズ群Ｇ３と、正の屈折力の第４レンズ群Ｇ４と、負の屈折力の第５レンズ群Ｇ５と、正の屈折力の第６レンズ群Ｇ６を有している。
【００７１】
第１レンズ群Ｇ１は、物体側に凸面を向けた負メニスカスレンズＬ１と、プリズムＬ２と、両凸正レンズＬ３で構成されている。
【００７２】
第２レンズ群Ｇ２は、物体側より順に、両凹負レンズＬ４と、両凹負レンズＬ５と、物体側に凸面を向けた正メニスカスレンズＬ６で構成されている。ここで、両凹負レンズＬ５と物体側に凸面を向けた正メニスカスレンズＬ６は接合され、接合レンズを形成している。
【００７３】
第３レンズ群Ｇ３は、凸平レンズＬ７と明るさ絞りＳで構成されている。凸平レンズＬ７は、開口絞りＳよりも物体側に位置している。
【００７４】
第４レンズ群Ｇ４は、物体側より順に、両凸正レンズＬ８と、物体側に凸面を向けた負メニスカスレンズＬ９で構成されている。
【００７５】
第５レンズ群Ｇ５は、両凹負レンズＬ１０で構成されている。
【００７６】
第６レンズ群Ｇ６は、物体側に凸面を向けた正メニスカスレンズＬ１１で構成されている。
【００７７】
広角端から望遠端にかけての変倍時、第１レンズ群Ｇ１は固定、第２レンズ群Ｇ２は像側に移動し、第３レンズ群Ｇ３は固定、第４レンズ群Ｇ４は物体側に移動し、第５レンズは物体側に移動し、第６レンズ群Ｇ６は固定である。
【００７８】
非球面は、第１レンズ群Ｇ１の両凸正レンズＬ３の物体側面、第３レンズ群Ｇ３の凸平レンズＬ７の物体側面、第４レンズ群Ｇ４の両凸正レンズＬ８の両側面、第５レンズ群Ｇ５の両凹負レンズＬ１０の両側面、第６レンズ群Ｇ６の物体側に凸面を向けた正メニスカスレンズＬ１１の物体側面の７面に用いている。
【００７９】
次に、実施例４にかかるズームレンズについて説明する。図７は実施例４にかかるズームレンズの無限遠物点合焦時の光学構成を示す光軸に沿う断面図であって、広角端（ａ）、中間焦点距離状態（ｂ）、望遠端（ｃ）のレンズ断面図である。
【００８０】
図８は実施例４にかかるズームレンズの無限遠物点合焦時における球面収差（ＳＡ）、非点収差（ＡＳ）、歪曲収差（ＤＴ）、倍率色収差（ＣＣ）を示す図であって、（ａ）は広角端、（ｂ）は中間焦点距離状態、（ｃ）は望遠端における収差図である。また、ＦＩＹは像高を示している。
【００８１】
実施例４のズームレンズは、図７に示すように、物体側より順に、正の屈折力の第１レンズ群Ｇ１と、負の屈折力の第２レンズ群Ｇ２と、正の屈折力の第３レンズ群Ｇ３と、正の屈折力の第４レンズ群Ｇ４と、負の屈折力の第５レンズ群Ｇ５と、正の屈折力の第６レンズ群Ｇ６を有している。
【００８２】
第１レンズ群Ｇ１は、物体側に凸面を向けた負メニスカスレンズＬ１と、プリズムＬ２と、両凸正レンズＬ３で構成されている。
【００８３】
第２レンズ群Ｇ２は、物体側より順に、両凹負レンズＬ４と、両凹負レンズＬ５と、物体側に凸面を向けた正メニスカスレンズＬ６で構成されている。ここで、両凹負レンズＬ５と物体側に凸面を向けた正メニスカスレンズＬ６は接合され、接合レンズを形成している。
【００８４】
第３レンズ群Ｇ３は、凸平レンズＬ７と明るさ絞りＳで構成されている。凸平レンズＬ７は、開口絞りＳよりも物体側に位置している。
【００８５】
第４レンズ群Ｇ４は、物体側より順に、両凸正レンズＬ８と、物体側に凸面を向けた負メニスカスレンズＬ９で構成されている。
【００８６】
第５レンズ群Ｇ５は、物体側に凸面を向けた負メニスカスレンズＬ１０で構成されている。
【００８７】
第６レンズ群Ｇ６は、両凸正レンズＬ１１で構成されている。
【００８８】
広角端から望遠端にかけての変倍時、第１レンズ群Ｇ１は固定、第２レンズ群Ｇ２は像側に移動し、第３レンズ群Ｇ３は固定、第４レンズ群Ｇ４は物体側に移動し、第５レンズ群Ｇ５は物体側に移動し、第６レンズ群Ｇ６は固定である。
【００８９】
非球面は、第１レンズ群Ｇ１の両凸正レンズＬ３の物体側面、第３レンズ群Ｇ３の凸平レンズＬ７の物体側面、第４レンズ群Ｇ４の両凸正レンズＬ８の両側面、第５レンズ群Ｇ５の物体側に凸面を向けた負メニスカスレンズＬ１０の両側面、第６レンズ群Ｇ６の両凸正レンズＬ１１の両側面の７面に用いられている。
【００９０】
次に、上記各実施例のズームレンズを構成する光学部材の数値データを掲げる。なお、各実施例の数値データにおいて、ｒ１、ｒ２、…は各レンズ面の曲率半径、ｄ１、ｄ２、…は各レンズの肉厚または空気間隔、ｎｄ１、ｎｄ２、…は各レンズのｄ線での屈折率、νｄ１、νｄ２、…は各レンズのアッべ数、＊印は非球面、焦点距離はズームレンズ全系の焦点距離、ＦＮＯ．はＦナンバー、ωは半画角、fbはバックフォーカスを示している。また、ズームデータは、左から、広角端ＷＥ、中間焦点距離状態ＳＴ２、望遠端ＴＥ、広角端と中間焦点距離状態の間の状態ＳＴ１、中間焦点距離状態から望遠端の間の状態ＳＴ３、でのデータを示す。
【００９１】
また、非球面形状は、光軸方向をｚ、光軸に直交する方向をｙにとり、円錐係数をＫ、非球面係数をＡ４、Ａ６、Ａ８、Ａ１０としたとき、次の式で表される。
ｚ＝（ｙ2／ｒ）／［１＋｛１−（１＋Ｋ）（ｙ／ｒ）2｝1/2］
＋Ａ４ｙ4＋Ａ６ｙ6＋Ａ８ｙ8＋Ａ１０ｙ10
また、ｅは１０のべき乗を表している。なお、これら諸元値の記号は後述の実施例の数値データにおいても共通である。
【００９２】
数値実施例１
単位ｍｍ
面データ
面番号     r          d         nd        νd    
物面       ∞         ∞
1        ∞        0.00
2     241.920      0.70     1.94595    17.98
3      11.157      1.20
4        ∞        7.40     1.90366    31.32
5        ∞        0.20
6*     11.463      1.74     1.80610    40.88
7*    -18.110      可変  
8     -23.345      0.50     1.88300    40.76
9      11.119      0.56
10     -22.303      0.50     1.80041    46.56
11       8.361      1.17     1.92286    18.90
12      52.372      可変
13*      8.409      0.97     1.53367    55.82
14        ∞        0.40
15(絞り)  ∞        可変
16*      5.124      2.27     1.57120    67.93
17*     -8.214      0.05
18       7.873      0.69     1.90936    20.78
19       4.000      可変
20      16.931      0.60     1.85596    20.19
21       4.835      可変
22*     36.404      2.11     1.63493    23.90
23*    -14.649      0.00
24        ∞        0.20
25        ∞        0.50     1.51633    64.14
26        ∞         
像面（撮像面）∞
非球面データ
第６面
K=-0.774
A4=-6.99084e-05,A6=-1.63964e-06  
第７面
K=-0.604
A4=1.85716e-05,A6=-1.06515e-06  
第１３面
K=-1.175
A4=3.45070e-05,A6=-1.39300e-05  
第１６面
K=-2.714
A4=1.15704e-03,A6=-2.57943e-06  
第１７面
K=0.000
A4=1.77061e-03,A6=-1.33371e-05  
第２２面
K=-5.000
A4=-1.33394e-04,A6=1.40162e-05  
第２３面
K=0.000
A4=-1.06788e-03,A6=2.28369e-05  
ズームデータ
WE        ST2       TE        ST1       ST3
焦点距離           6.29     10.64     18.00      8.18     13.84
ＦＮＯ．           3.54      4.21      4.52      3.84      4.50
画角２ω          66.13     39.10     23.33     50.31     30.35
fb (in air)        1.53      1.53      1.53      1.53      1.53
全長 (in air)     37.93     37.93     37.93     37.93     37.93
d7                 0.40      2.88      5.68      1.71      4.13  
d12                5.68      3.21      0.40      4.37      1.95  
d15                3.64      1.87      1.00      2.82      1.12  
d19                3.39      3.25      2.89      3.37      3.14  
d21                2.24      4.16      5.39      3.07      5.02  
群焦点距離
f1=12.12    f2=-6.19    f3=15.69    f4=10.16    f5=-8.00    f6=16.56   
【００９３】
数値実施例２
単位ｍｍ
面データ
面番号     r          d         nd        νd    
物面       ∞         ∞
1        ∞        0.00
2     103.342      0.70     1.92286    18.90
3      10.488      1.20
4        ∞        7.30     1.84666    23.78
5        ∞        0.20
6*     13.136      1.61     1.80610    40.88
7     -17.578      可変
8     -22.899      0.50     1.88300    40.76
9      16.472      0.45
10     -25.339      0.50     1.78800    47.37
11       8.666      1.11     1.92286    18.90
12      29.546      可変
13*     14.923      0.85     1.53071    55.69
14        ∞        0.40
15(絞り)  ∞        可変
16*      4.400      2.58     1.49700    81.54
17*     -8.027      0.68
18       6.921      0.78     1.84666    23.78
19       3.449      可変
20*    -20.000      0.60     1.63493    23.90
21      14.353      可変
22      49.709      1.84     1.53071    55.69
23*    -11.000      0.00
24        ∞        0.20
25        ∞        0.50     1.51633    64.14
26        ∞         
像面（撮像面）∞
非球面データ
第６面
K=-2.954
A4=5.02895e-05,A6=-1.18713e-06  
第１３面
K=-1.969
A4=1.04106e-04,A6=-1.38113e-05  
第１６面
K=-2.313
A4=1.74342e-03,A6=-4.00607e-05  
第１７面
K=0.413
A4=1.62982e-03,A6=-3.16420e-05  
第２０面
K=5.000
A4=-8.14081e-05,A6=-1.27850e-04  
第２３面
K=4.067
A4=2.12756e-03,A6=-1.34525e-04,A8=3.63385e-06  
ズームデータ
WE        ST2       TE        ST1       ST3
焦点距離           6.65     11.25     19.02      8.65     14.63
ＦＮＯ．           3.49      4.44      4.95      3.94      4.90
画角２ω          63.08     37.26     22.05     48.20     28.80
fb (in air)        1.63      1.63      1.63      1.63      1.63
全長 (in air)     39.43     39.43     39.43     39.43     39.43
d7                 0.40      2.64      5.59      1.53      3.84  
d12                5.59      3.35      0.40      4.45      2.14  
d15                4.31      2.08      1.00      3.21      1.12  
d19                4.03      3.68      3.80      3.78      3.73  
d21                2.18      4.76      5.72      3.53      5.68  
群焦点距離
f1=13.64    f2=-6.91    f3=28.00    f4=9.74    f5=-12.94    f6=17.08   
【００９４】
数値実施例３
単位ｍｍ
面データ
面番号     r          d         nd        νd    
物面       ∞         ∞
1        ∞        0.00
2      70.013      0.70     1.94595    17.98
3      10.002      1.29
4        ∞        7.30     1.84666    23.78
5        ∞        0.20
6*     12.935      1.63     1.80610    40.88
7     -17.396      可変  
8     -20.526      0.50     1.83481    42.71
9      15.585      0.49
10     -28.995      0.50     1.80400    46.57
11       7.235      1.21     1.92286    18.90
12      24.657      可変
13*     13.935      0.90     1.53367    55.82
14        ∞        0.40
15(絞り)  ∞        可変
16*      4.565      2.60     1.49700    81.54
17*     -7.576      0.72
18       7.336      0.70     1.92286    20.88
19       3.750      可変
20*    -20.000      0.60     1.63493    23.90
21*     19.570      可変
22*     12.104      1.09     1.63493    23.90
23      68.084      0.00
24        ∞        0.20
25        ∞        0.50     1.51633    64.14
26        ∞         
像面（撮像面）∞
非球面データ
第６面
K=-1.750
A4=-9.00224e-06,A6=-7.85006e-07,A8=-2.35555e-09  
第１３面
K=-3.586
A4=2.10649e-04,A6=-3.26039e-05,A8=2.19504e-06  
第１６面
K=-2.046
A4=9.94381e-04,A6=-5.98107e-06,A8=-1.31721e-06  
第１７面
K=0.334
A4=1.56279e-03,A6=-1.78961e-05,A8=-8.58221e-07  
第２０面
K=-5.000
A4=5.13699e-04,A6=-1.42025e-04,A8=1.14173e-05  
第２１面
K=5.000
A4=4.00731e-04,A6=-8.42378e-05,A8=1.07902e-05  
第２２面
K=4.901
A4=-7.22257e-04,A6=-2.68119e-07  
ズームデータ
WE        ST2       TE        ST1       ST3
焦点距離           6.29     10.64     18.00      8.18     13.84
ＦＮＯ．           3.52      4.36      4.27      3.89      3.99
画角２ω          66.65     38.54     22.84     50.21     29.71
fb (in air)        1.53      1.53      1.53      1.53      1.53
全長 (in air)     38.93     38.93     38.93     38.93     38.93
d7                 0.30      2.66      5.12      1.56      3.75  
d12                5.12      2.75      0.30      3.86      1.67  
d15                4.41      2.44      0.80      3.49      1.40  
d19                4.66      4.49      4.58      4.59      4.49  
d21                2.09      4.23      5.78      3.08      5.28  
群焦点距離
f1=13.30    f2=-6.68    f3=26.00    f4=9.94    f5=-15.34    f6=22.79   
【００９５】
数値実施例４
単位ｍｍ
面データ
面番号     r          d         nd        νd    
物面       ∞         ∞
1        ∞        0.00
2     189.831      0.70     1.92286    20.88
3      10.344      1.26
4        ∞        7.28     1.84666    23.78
5        ∞        0.20
6*     11.133      1.77     1.77377    47.17
7     -17.292      可変  
8     -19.873      0.50     1.88300    40.76
9      14.012      0.51
10     -32.112      0.50     1.80400    46.57
11       8.075      1.16     1.94595    17.98
12      29.464      可変
13*     12.769      0.90     1.55332    71.68
14        ∞        0.40
15(絞り)  ∞        可変
16*      4.805      2.47     1.61881    63.85
17*     -7.750      0.61
18      15.485      0.51     1.84666    23.78
19       3.900      可変
20*     51.356      0.60     1.63493    23.90
21*      7.451      可変
22*     68.320      1.78     1.63493    23.90
23*     -8.864      0.00
24        ∞        0.30
25        ∞        0.50     1.51633    64.14
26        ∞         
像面（撮像面）∞
非球面データ
第６面
K=-1.548
A4=-2.61396e-05,A6=-1.27932e-06,A8=1.94027e-08  
第１３面
K=0.000
A4=-8.81824e-05,A6=-1.41002e-05  
第１６面
K=-0.992
A4=-1.17964e-04,A6=3.03532e-05  
第１７面
K=-5.000
A4=8.05435e-04  
第２０面
K=0.000
A4=-6.92507e-05  
第２１面
K=0.000
A4=-1.65965e-04,A6=2.64891e-05,A8=2.17819e-06  
第２２面
K=0.000
A4=7.75246e-04,A6=3.31851e-05  
第２３面
K=0.000
A4=2.23602e-03  
ズームデータ
WE        ST2       TE        ST1       ST3
焦点距離           6.29     10.64     18.00      8.18     13.84
ＦＮＯ．           3.41      4.28      4.62      3.77      4.58
画角２ω          66.63     38.93     22.93     50.33     29.90
fb (in air)        1.42      1.39      1.45      1.41      1.37
全長 (in air)     38.92     38.89     38.95     38.91     38.87
d7                 0.30      2.50      5.44      1.52      3.81  
d12                5.44      3.25      0.30      4.23      1.93  
d15                4.13      2.02      1.20      3.22      1.33  
d19                4.38      3.82      3.37      4.22      3.82  
d21                2.09      4.76      6.03      3.17      5.45  
群焦点距離
f1=12.29    f2=-6.52    f3=23.00    f4=10.49    f5=-13.67    f6=12.35   
【００９６】
各実施例の条件式対応値を以下に示す。
条件式            実施例1     実施例2     実施例3     実施例4
(1)f1/√(fw・ft)       1.14        1.21        1.25        1.15 
(2)pri/IH              1.90        1.88        1.88        1.87 
(3)f3/√(fw・ft)       1.47        2.49        2.44        2.16 
(4)f4/√(fw・ft)       0.95        0.87        0.93        0.99 
(5)f4_b/√(fw・ft)    -0.91       -0.80       -0.85       -0.58 
(6)f5/√(fw・ft)      -0.75       -1.15       -1.44       -1.28
【００９７】
さて、以上のような本発明の結像（撮像）光学系は、物体の像をＣＣＤやＣＭＯＳなどの電子撮像素子で撮影する撮影装置、とりわけデジタルカメラやビデオカメラ、情報処理装置の例であるパソコン、電話、携帯端末、特に持ち運びに便利な携帯電話等に用いることができる。以下に、その実施形態を例示する。なお、各実施形態において、便宜上、光路が一直線の光学系が例示しているが、この光学系に代えて、光路が折り曲げられたズームレンズを適用できることは言うまでもない。
【００９８】
図９〜図１１に本発明による結像光学系をデジタルカメラの撮影光学系４１に組み込んだ構成の概念図を示す。図９はデジタルカメラ４０の外観を示す前方斜視図、図１０は同後方斜視図、図１１はデジタルカメラ４０の光学構成を示す断面図である。
【００９９】
デジタルカメラ４０は、この例の場合、撮影用光路４２を有する撮影光学系４１、ファインダー用光路４４を有するファインダー光学系４３、シャッター４５、フラッシュ４６、液晶表示モニター４７等を含む。そして、撮影者が、カメラ４０の上部に配置されたシャッター４５を押圧すると、それに連動して撮影光学系４１、例えば実施例１のズームレンズ４８を通して撮影が行われる。
【０１００】
撮影光学系４１によって形成された物体像は、ＣＣＤ４９の撮像面上に形成される。このＣＣＤ４９で受光された物体像は、画像処理手段５１を介し、電子画像としてカメラ背面に設けられた液晶表示モニター４７に表示される。また、この画像処理手段５１にはメモリ等が配置され、撮影された電子画像を記録することもできる。なお、このメモリは画像処理手段５１と別体に設けてもよいし、フレキシブルディスクやメモリーカード、ＭＯ等により電子的に記録書込を行うように構成してもよい。
【０１０１】
さらに、ファインダー用光路４４上には、ファインダー用対物光学系５３が配置されている。このファインダー用対物光学系５３は、カバーレンズ５４、第１プリズム１０、開口絞り２、第２プリズム２０、フォーカス用レンズ６６からなる。このファインダー用対物光学系５３によって、結像面６７上に物体像が形成される。この物体像は、像正立部材であるポロプリズム５５の視野枠５７上に形成される。このポロプリズム５５の後方には、正立正像にされた像を観察者眼球Ｅに導く接眼光学系５９が配置されている。
【０１０２】
このように構成されたデジタルカメラ４０によれば、撮影光学系４１の構成枚数を少なくした小型化・薄型化のズームレンズを有する電子撮像装置が実現できる。なお、本発明は、上述した沈胴式のデジタルカメラに限られず、屈曲光学系を採用する折り曲げ式のデジタルカメラにも適用できる。
また、撮影光学系４１に一体化されたオートフォーカス機構５００を備えている。オートフォーカス機構５００を搭載することによって、あらゆる被写体距離において合焦することができる。
【０１０３】
また、撮影光学系４１と電子撮像素子チップ（電子撮像素子）とを一体化したことが望ましい。
電子撮像素子を一体化することで、ズームレンズによる光学像を電気信号化することがでる。また、画像中央部と周辺部で画像の明るさの変化を軽減できる電子撮像素子を選択し、小型且つ高性能なデジタルカメラ（撮像装置）を提供できる。
【０１０４】
次に、本発明のズームレンズが対物光学系として内蔵された情報処理装置の一例であるパソコンを図１２〜図１４に示す。図１２はパソコン３００のカバーを開いた状態の前方斜視図、図１３はパソコン３００の撮影光学系３０３の断面図、図１４は図１２の側面図である。図１２〜図１４に示されるように、パソコン３００は、キーボード３０１と、情報処理手段や記録手段と、モニター３０２と、撮影光学系３０３とを有している。
【０１０５】
ここで、キーボード３０１は、外部から操作者が情報を入力するためのものである。情報処理手段や記録手段は、図示を省略している。モニター３０２は、情報を操作者に表示するためのものである。撮影光学系３０３は、操作者自身や周辺の像を撮影するためのものである。モニター３０２は、液晶表示素子やＣＲＴディスプレイ等であってよい。液晶表示素子としては、図示しないバックライトにより背面から照明する透過型液晶表示素子や、前面からの光を反射して表示する反射型液晶表示素子がある。また、図中、撮影光学系３０３は、モニター３０２の右上に内蔵されているが、その場所に限らず、モニター３０２の周囲や、キーボード３０１の周囲のどこであってもよい。
【０１０６】
この撮影光学系３０３は、撮影光路３０４上に、例えば実施例１のズームレンズからなる対物光学系１００と、像を受光する電子撮像素子チップ１６２とを有している。これらはパソコン３００に内蔵されている。
【０１０７】
鏡枠の先端には、対物光学系１００を保護するためのカバーガラス１０２が配置されている。
電子撮像素子チップ１６２で受光された物体像は、端子１６６を介して、パソコン３００の処理手段に入力される。そして、最終的に、物体像は電子画像としてモニター３０２に表示される。図１２には、その一例として、操作者が撮影した画像３０５が示されている。また、この画像３０５は、処理手段を介し、遠隔地から通信相手のパソコンに表示されることも可能である。遠隔地への画像伝達は、インターネットや電話を利用する。
また、対物光学系１００（ズームレンズ）に一体化されたオートフォーカス機構５００を備えている。オートフォーカス機構５００を搭載することによって、あらゆる被写体距離において合焦することができる。
【０１０８】
また、対物光学系１００（ズームレンズ）と電子撮像素子チップ１６２（電子撮像素子）とを一体化したことが望ましい。
電子撮像素子を一体化することで、ズームレンズによる光学像を電気信号化することができる。また、画像中央部と周辺部で画像の明るさの変化を軽減できる電子撮像素子を選択し、小型且つ高性能なパソコン（撮像装置）を提供できる。
【０１０９】
次に、本発明のズームレンズが撮影光学系として内蔵された情報処理装置の一例である電話、特に持ち運びに便利な携帯電話を図１５に示す。図１５（ａ）は携帯電話４００の正面図、図１５（ｂ）は側面図、図１５（ｃ）は撮影光学系４０５の断面図である。図１５（ａ）〜（ｃ）に示されるように、携帯電話４００は、マイク部４０１と、スピーカ部４０２と、入力ダイアル４０３と、モニター４０４と、撮影光学系４０５と、アンテナ４０６と、処理手段とを有している。
【０１１０】
ここで、マイク部４０１は、操作者の声を情報として入力するためのものである。スピーカ部４０２は、通話相手の声を出力するためのものである。入力ダイアル４０３は、操作者が情報を入力するためのものである。モニター４０４は、操作者自身や通話相手等の撮影像や、電話番号等の情報を表示するためのものである。アンテナ４０６は、通信電波の送信と受信を行うためのものである。処理手段（不図示）は、画像情報や通信情報、入力信号等の処理を行ためのものである。
【０１１１】
ここで、モニター４０４は液晶表示素子である。また、図中、各構成の配置位置、特にこれらに限られない。この撮影光学系４０５は、撮影光路４０７上に配された対物光学系１００と、物体像を受光する電子撮像素子チップ１６２とを有している。対物光学系１００としては、例えば実施例１のズームレンズが用いられる。これらは、携帯電話４００に内蔵されている。
【０１１２】
鏡枠の先端には、対物光学系１００を保護するためのカバーガラス１０２が配置されている。
電子撮影素子チップ１６２で受光された物体像は、端子１６６を介して、図示していない画像処理手段に入力される。そして、最終的に物体像は、電子画像としてモニター４０４に、又は、通信相手のモニターに、又は、両方に表示される。また、処理手段には信号処理機能が含まれている。通信相手に画像を送信する場合、この機能により、電子撮像素子チップ１６２で受光された物体像の情報を、送信可能な信号へと変換する。
また、対物光学系１００（ズームレンズ）に一体化されたオートフォーカス機構５００を備えている。オートフォーカス機構５００を搭載することによって、あらゆる被写体距離において合焦することができる。
【０１１３】
また、対物光学系１００（ズームレンズ）と電子撮像素子チップ１６２（電子撮像素子）とを一体化することが望ましい。
電子撮像素子を一体化することで、ズームレンズのよる光学像を電気信号化することができる。また、画像中央部と周辺部で画像の明るさの変化を軽減できる電子撮像素子を選択し、小型且つ高性能な携帯電話（撮像装置）を提供できる。
【０１１４】
なお、本発明は、その趣旨を逸脱しない範囲で様々な変形例をとることができる。
【産業上の利用可能性】
【０１１５】
以上のように、本発明は、小型でありながら、周辺での収差、特に非点収差が良好に補正されたズームレンズ、特に薄型化に適した光路折り曲げ型のズームレンズ、及びそれを用いた撮像装置に適している。
【符号の説明】
【０１１６】
Ｇ１  第１レンズ群
Ｇ２  第２レンズ群
Ｇ３  第３レンズ群
Ｇ４  第４レンズ群
Ｇ５  第５レンズ群
Ｇ６  第６レンズ群
Ｃ    カバーガラス
Ｉ    撮像面
Ｓ    開口絞り
４０  デジタルカメラ
４１  撮影光学系
４２  撮影用光路
４３  ファインダー光学系
４４  ファインダー用光路
４５  シャッター
４６  フラッシュ
４７  液晶表示モニター
４８  レンズ
４９  ＣＣＤ
５０  撮像面
５１  処理手段
５３  ファインダー用対物光学系
５５  ポロプリズム
５７  視野枠
５９  接眼光学系
６６  フォーカス用レンズ
６７  結像面
１００  対物光学系
１０２  カバーガラス
１６２  電子撮像素子チップ
１６６  端子
３００  パソコン
３０１  キーボード
３０２  モニター
３０３  撮影光学系
３０４  撮影光路
３０５  画像
４００  携帯電話
４０１  マイク部
４０２  スピーカ部
４０３  入力ダイアル
４０４  モニター
４０５  撮影光学系
４０６  アンテナ
４０７  撮影光路
５００  オートフォーカス機構
【図１】
0005846792.tif 000002
【図２】
0005846792.tif 000003
【図３】
0005846792.tif 000004
【図４】
0005846792.tif 000005
【図５】
0005846792.tif 000006
【図６】
0005846792.tif 000007
【図７】
0005846792.tif 000008
【図８】
0005846792.tif 000009
【図９】
0005846792.tif 000010
【図１０】
0005846792.tif 000011
【図１１】
0005846792.tif 000012
【図１２】
0005846792.tif 000013
【図１３】
0005846792.tif 000014
【図１４】
0005846792.tif 000015
【図１５】
0005846792.tif 000016